(57)【要約】【課題】  本体容器と蓋で構成される組立式棺桶であって、収納及び運搬が便利であると共に、組立作業を簡単に行うことが出来る折畳み式棺桶の提供。【解決手段】  本体容器１は底板４、両側板５，５、及び前後板６，７から成り、そして該底板４は右底板片８ａと左底板片８ｂの底面に接着したテープ９で折畳み可能に連結して構成し、また、底板４の底面には所定の間隔をおいて複数本のテープ１０，１０・・を上記テープ９と垂直方向にクロスして接着し、そのテープ両端部１１，１１・・を側板５，５の内側面に接着することで該側板５，５を折畳み可能に連結し、更に前板６及び後板７の両側に突出したボス１２，１２・・を側板５，５に形成した嵌合穴に嵌合して連結すると共に、左右底板片８ａ，８ｂを繋ぐ上記テープ両端部９を延ばして前後板６，７の内面に接着している。【選択図】    図２
2005102906.tif 000002
【特許請求の範囲】
【請求項１】
本体容器と蓋で構成される組立式棺桶において、該本体容器は底板、両側板、及び前後板から成り、そして該底板は右底板片と左底板片の底面に接着したテープで折畳み可能に連結して構成し、また、底板の底面には所定の間隔をおいて複数本のテープを上記テープと垂直方向にクロスして接着し、そのテープ両端部を側板の内側面に接着することで該側板を折畳み可能に連結し、更に前板及び後板の両側に突出したボスを側板に形成した嵌合穴に嵌合して連結すると共に、左右底板片を繋ぐ上記テープ両端部を延ばして前後板の内面に接着したことを特徴とする折畳み式棺桶。
【請求項２】
上記前後板の側端に嵌合穴を形成し、側板の内面に突出したボスを嵌合穴に嵌めて連結した請求項１記載の折畳み式棺桶。
【請求項３】
本体容器と蓋で構成される組立式棺桶において、該本体容器は底板、両側板、及び前後板から成り、そして該底板は右底板片と左底板片の底面に接着したテープで折畳み可能に連結して構成し、また、底板の底面には所定の間隔をおいて複数本のテープを上記テープと垂直方向にクロスして接着し、そのテープ両端部を側板の内側面に接着することで該側板を折畳み可能に連結し、更に左右底板片及び両側板の先端にボスを突出すると共に前後板の周囲には嵌合穴を形成し、該嵌合穴にボスを嵌めて前板及び後板を取付けたことを特徴とする折畳み式棺桶。
【請求項４】
前後板の周囲にボスを突出し、該ボスを両側板及び左右底板片の先端に形成した嵌合穴に嵌めて前後板を取付けた請求項３記載の折畳み式棺桶。
【発明の詳細な説明】
【技術分野】
【０００１】
本発明は仏を収容して火葬するために用いる折畳み式棺桶に関するものである。
【背景技術】
【０００２】
従来から使用されている棺桶は細長い箱型容器本体に蓋をしたものであり、その大きさは仏が仰向けに寝た状態で十分に収容することが出来る寸法と成っている。そして材質は火葬可能なように木材などから成り、本体容器は底面部、両側面部、前後面部にて箱型を形成し、互いにクギ打ちされている。ところで、この種の棺桶は材質が木材等である為に軽いが嵩が大きい為に、前以て製造された棺桶を保管するには広い場所が必要となる。又、運搬に際しても嵩張って数多くの棺桶を積むことは出来ない。
【０００３】
そこで、従来から組立て式棺桶が知られている。例えば、特開平７−３１３５６４号に係る「折畳棺桶」は、「底板と、底板の左右両側縁に定着する一対の側板と、底板の前後両端縁に定着する一対の妻板とを有する棺桶において、側板を各々上部から棺桶の内幅の半分に略相当する高さを有す側板可倒板とその下部の側板定着板とに二分割し、側板可倒板を側板定着板に各々内方に倒伏可能に連結すると共に妻板を各々上部から棺桶の内幅の半分に略相当する高さに側板可倒板の板厚を加算して成る高さを有する妻板可倒板とその下部の妻板定着晩とに二分割し、妻板可倒板を妻板定着板に各々内方に倒伏可能に連結している。」
しかし、この折畳棺桶は、上記構成及び特許公報図面からも明らかなように、その組立ては簡単ではない。
【０００４】
特開平７−２５５７９５号に係る「段ボール紙製の組立棺」は、「蓋体と本体とから成り、蓋体は三層段ボール紙の表面に装飾模様を有す装飾段ボール板に、窓を穿設して木製の観音扉を嵌合したもので、一方、本体も同じく装飾段ボール板からなり、本体装飾段ボール板の底面の長手方向の奥と手前の縁上に両側面を垂直に当接させ、底面の長手方向の左右両端上には前後面を垂直に当接させて組立てることが出来る。」
しかし、この段ボール紙製の組立棺も、本体の組み立てに際してアングルを使用し、螺子が用いられ、素人が手軽に組立出来る構造とは成っていない。
【０００５】
更に、実開平７−２２７３１号に係る「段ボール紙製の組立棺」も前記特開平７−２５５７９５号に係る「段ボール紙製の組立棺」と基本的構造は同じであって組立作業は容易でない。
その他にも、組立を可能とする棺桶に関する特許文献は数多く知られているが、収納や運搬が嵩張らなくて便利であるだけで、実際の棺桶組立作業の利便性に優れた組立式棺桶としては不十分である。
【特許文献１】特開平７−３１３５６４号に係る「折畳棺桶」
【特許文献２】特開平７−２５５７９５号に係る「段ボール紙製の組立棺」
【特許文献３】実開平７−２２７３１号に係る「段ボール紙製の組立棺」
【発明の開示】
【発明が解決しようとする課題】
【０００６】
このように従来の組立て式棺桶、又は折畳み式棺桶には上記のごとき問題がある。本発明が解決しようとする課題はこの問題点であり、収納や運搬が嵩張らないのみならず、現場にて短時間で簡単に組立てすることが出来る便利な折畳み式棺桶を提供する。
【課題を解決するための手段】
【０００７】
本発明に係る折畳み式棺桶は、その本体容器が折畳み式構造と成っている。すなわち、該本体容器は底板と両側板、及び前後板で構成され、前後板を除く底板及び両側板は折畳みすることが出来るように、該底板が２つ折可能と成っている。その為に、底板の中央には縦方向にテープが接着されて折畳むことが出来る。又、底板と側板との繋ぎは長手方向に一定間隔でテープが接着され、該テープは底板の底面から側板の内面にかけて接着されている。
【０００８】
本発明では、上記テープが継手として機能し、底板が２つ折りされると共に側板も折畳まれる。従って４枚の板材が互いに重なり合って収納される。一方、前後板は側板にボスを介して連結され、底板の繋ぎとして接着したテープを前後方向に延ばして前後板に接着することで該底板と前後板を連結している。ここで、ボスは前後板の側端に突出して設け、側板側に形成した嵌合穴に嵌合し、又は逆に側板にボスを突出すると共に前後板に嵌合穴を形成することも出来る。一方、底板と前後板をテープではなくボスを介して連結する繋ぎ構造とすることも可能である。
【発明の効果】
【０００９】
本発明に係る折畳み式棺桶は簡単に組み立てることが出来る。すなわち、折畳まれている底板を広げると共に両側板を起立し、これに前後板を取付けるだけで組み立てが完了する。前後板は側板に設けている嵌合穴にボスを嵌め、底板の繋ぎ部に接着しているテープの延長部分を前後板に接着される。
【００１０】
そして、収納状態及び運搬時にある時には、２つ折りされた底板及び両側板が重なり合い、この上に前後板を置き、更に蓋を重ね合わせることが出来る。そして、この場合、折畳まれた底板及び側板と幅広の蓋との間には空間が形成される為に、この空間には棺桶に収容される仏の布団、枕、仏衣などを折畳んで納めることが出来る。
【実施例】
【００１１】
図１は本発明に係る折畳み式棺桶を示す実施例である。同図の１は本体容器、２は蓋を表し、該本体容器１と蓋２との組合せで構成され、蓋２には開閉窓３を有している。そして本体容器１は底板４、両側板５，５、前板６、及び後板７から成り、細長い直方体を構成した容器である。この本体容器１の底に布団が敷かれて仏が収容され、蓋２が閉じられる。
【００１２】
図２は前板６と後板７を取付けていない本体容器１の外観を現しているが、底板４は２枚の右底板片８ａと左底板片８ｂから成り、右底板片８ａと左底板片８ｂはテープ９にて繋がれている。テープ９は右底板片８ａと左底板片８ｂに跨って底面側に接着され、該テープ９を継手として２つ折りすることが出来る。そして、底板４には上記テープ９に対して垂直方向に別の１０，１０・・が一定間隔をおいて接着されている。
【００１３】
テープ１０，１０・・は底板４の底面に接着され、そして両端部は左右側板５，５の内側に接着されている。同図(ｂ)には右底板片８ａと左底板片８ｂ、及び両側板５，５とテープ９，１０の関係を図案化して示しているが、テープ９は左右底板片８ａ，８ｂに跨って長手方向に接着される。一方のテープ１０は上記テープ９と垂直方向にクロスして接着され、そしてテープ先端部１１，１１は側板５，５の内側に接着されている。
【００１４】
側板５，５は上記テープ１０，１０・・を介して左右底板片８ａ，８ｂに連結され、そして左右底板片８ａ，８ｂ、及び両側板５，５はテープ９，１０，１０・・を介して折畳まれる。図３(ａ)は両側板５，５と左右底板片８ａ，８ｂが折畳まれた状態を示し、図３(ｂ)は組み立て段階を示している。本体容器１から前後板６，７を外した状態では、両側板５，５及び左右底板片８ａ，８ｂが互いに重なり合って折畳まれる。
【００１５】
そして、組み立てる際には、(ｂ)に示すように左右底板片８ａ，８ｂを延ばすと共に側板５，５を起立してから前後板６，７を取付けることで組立が完了する。図４は前板６を取付ける場合を示しているが、前板６の両側端にはボス１２，１２・・が突出して設けられ、該ボス１２，１２・・は側板５，５の内側に形成している嵌合穴に嵌合することが出来る。
【００１６】
この場合、ボス１２，１２・・には接着剤を塗布した状態で嵌合穴に嵌合し、前板６と両側板５，５を連結する。同じように後板７と両側板５，５も互いに連結される。そして、左右底板片８ａ，８ｂを繋いでいるテープ９を延ばし、その両端部は前板６及び後板７に接着されて、左右底板片８ａ，８ｂは前後板６，７にて支えられることになる。
【００１７】
ここで、上記ボス１２を側板内側に突出して設け、前後板の側端に嵌合穴を形成することも可能である。一方、図４では両側板５，５に前後板６，７が挟まれた状態で取付けられるが、底板４及び両側板５，５の端面に前後板６，７を当接して取付けることも出来る。この場合には、左右底板片８ａ，８ｂの先端、両側板５，５の先端にボスを設け、そして前後板６，７の周囲に嵌合穴を形成し、該嵌合穴にボスを嵌合することで取付け出来る。
【００１８】
図５は本発明に係る組立式棺桶の収納及び運搬状態を示している。同図に示すように、両側板５，５及び左右底板片８ａ，８ｂを折畳んだ状態で前後板６，７を載せ、その上には蓋２が載置される。この場合、蓋２の幅が側板５の高さより大きい為に蓋２の約半分は空間となる。そこで、該空間に仏の布団や仏衣、及び枕などの小物類が収容され、この状態で段ボール箱に収納される。
【図面の簡単な説明】
【００１９】
【図１】本発明に係る折畳み式棺桶の外観図。
【図２】(ａ)は前後板を外した本体容器、(ｂ)は本体容器の縦断面拡大図。
【図３】(ａ)本体容器が折畳まれた場合、(ｂ)は本体容器の組立段階。
【図４】本体容器に前板を取付ける場合。
【図５】本発明に係る棺桶の収納状態。
【符号の説明】
【００２０】
１  本体容器
２  蓋
３  開閉窓
４  底板
５  側板
６  前板
７  後板
８  底板片
９  テープ
10  テープ
11  テープ先端部
12  ボス
【図１】
2005102906.tif 000003
【図２】
2005102906.tif 000004
【図３】
2005102906.tif 000005
【図４】
2005102906.tif 000006
【図５】
2005102906.tif 000007